(57)【要約】【課題】フレーム内の張材における一部の領域の張力の変化が、他の領域の張力に影響を及ぼすことがないようにしたフレームへの張材の張設構造、およびそれを用いた椅子の背凭れを提供する。【解決手段】枠状のフレーム１に張材３を張設してなるフレーム１への張材３の張設構造において、フレーム１の対向部間に連結杆２を架設し、かつ張材３の一部を、連結杆２に少なくとも上下いずれか一方から掛け回すことにより、張材３に、連結杆２を境にして、張材３の一方から他方への張力の伝達を阻止する張力伝達阻止部４を設ける。【選択図】  図１
2014079343.tif 000002
【特許請求の範囲】
【請求項１】
枠状のフレームに張材を張設してなるフレームへの張材の張設構造において、前記フレームの対向部間に連結杆を架設し、かつ前記張材の一部を、前記連結杆に少なくとも一側方から掛け回すことにより、前記張材に、前記連結杆を境にして、張材の一方から他方への張力の伝達を阻止する張力伝達阻止部を設けたことを特徴とするフレームへの張材の張設構造。
【請求項２】
両側部フレームの上端同士が上部フレームによって連結され、両側部フレームの下端同士が互いに離間するようにしたフレームと、
前記フレームにおける両側部フレーム間に架設した連結杆と、
外周部に前記側部フレームおよび上部フレームが挿通する筒状部を有するとともに、中間部に、前記連結杆が挿通する筒状部を有し、前記フレームに張設された張材とを備え、
前記連結杆が挿通する筒状部を、前記連結杆を境にして、張材の上方から下方および下方から上方への張力の伝達を阻止する張力伝達阻止部としたことを特徴とする請求項１記載のフレームへの張材の張設構造。
【請求項３】
両側部フレームの上端同士が上部フレームによって連結され、両側部フレームの下端同士が互いに離間するようにしたフレームと、
前記フレームにおける両側部フレーム間に架設した連結杆と、
外周部に前記側部フレームおよび上部フレームが挿通する筒状部を有するとともに、前記上部フレームが挿通する筒状部を拡幅させて、その拡幅筒状部に、前記上部フレームの他に、前記連結杆と、両側部フレームにおける連結杆より上方の部分を挿通させて前記フレームに張設された張材とを備え、
前記拡幅筒状部における前記連結杆の下側に掛け回された部分を、前記連結杆を境にして、張材の上方から下方への張力の伝達を阻止する張力伝達阻止部としたことを特徴とする請求項１記載のフレームへの張材の張設構造。
【請求項４】
張材の拡幅筒状部における連結杆より上方の部分を架橋することにより、この架橋部を、前記連結杆を境にして、張材の下方から上方への張力の伝達を阻止する張力伝達阻止部としたことを特徴とする請求項３記載のフレームへの張材の張設構造。
【請求項５】
両側部フレームの上端同士が上部フレームによって連結され、両側部フレームの下端同士が互いに離間するようにしたフレームと、
前記フレームにおける両側部フレーム間に架設した連結杆と、
前記連結杆と、前記両側部フレームにおける連結杆より下方の部分とを収容しうるようにした下端が開口する袋状部と、この袋状部の上端両側部に連通し、かつ前記両側部フレームにおける連結杆より上方の部分と前記上部フレームとが挿通する筒状部とを有し、前記フレームに張設された張材とを備え、
前記袋状部の上端における連結杆の上側に掛け回された部分をもって、張材の下方から上方への張力の伝達を阻止する張力伝達阻止部としたことを特徴とする請求項１記載のフレームへの張材の張設構造。
【請求項６】
フレームにおける両側部フレームの下端同士を、下部フレームをもって連結し、張材の下端を、前記下部フレームの下方において閉塞したことを特徴とする請求項２〜５のいずれかに記載のフレームへの張材の張設構造。
【請求項７】
請求項１〜６のいずれかに記載のフレームへの張材の張設構造におけるフレームを背フレームとし、連結杆より上方の部分をヘッドレストとし、かつ連結杆より下方の部分を背凭れ部分としたことを特徴とする椅子の背凭れ。
【発明の詳細な説明】
【技術分野】
【０００１】
本発明は、椅子の背凭れもしくは座、または衝立等におけるフレームへの張材の張設構造、およびそれを用いた椅子の背凭れに関する。
【背景技術】
【０００２】
椅子の背凭れや座、または衝立等には、倒立Ｕ字状、またはループ状等の枠状に形成したフレームに、下端が開口する袋状に形成したメッシュ地等よりなる張材を上方から被嵌して、フレームに張設したものがある(例えば特許文献１〜３参照)。
【先行技術文献】
【特許文献】
【０００３】
【特許文献１】特開２００９−１１２３６０号公報
【特許文献２】特開２０１１−８３５１８号公報
【特許文献３】特開２００９−１１２４１５号公報
【発明の概要】
【発明が解決しようとする課題】
【０００４】
特許文献１に記載されているものは、椅子の背凭れ部分のみに張材を張設しただけであるが、特許文献２に記載されているものにおいては、椅子の背凭れ部分のみならず、その上に設けたヘッドレストまで張材で連続して覆うようにしており、その場合、着座者が背凭れ部分に凭れたとき、その部分の張材が後方に押し出され、それに伴って、ヘッドレスト部分を覆う張材までが下方に引き寄せられ、ヘッドレスト部分の張力が強くなって、着座者の頭をヘッドレストに凭せ掛けた際の感触が悪くなるという問題がある。
【０００５】
特許文献３に記載されているものにおいては、両側部フレームの上端同士を上部フレームによって連結するとともに、上部フレームの下方において、左右の側部フレーム間に、左右方向を向く中間フレームを架設してなる背フレーム本体に、袋状の張材を上方より被嵌し、張材の後方から、銘板を、上記背フレーム本体における中間フレームの後面中央部に止着することにより、張材の後面中央部を、背フレーム本体に止着している。
これによると、張材の後面における銘板近傍部の上下左右の位置ずれを防止することはできるが、張材の前面の位置ずれは防止することはできず、また、張材の前面に繰り返し荷重が掛かることによって、張材の後面における中央部のみが背フレーム本体に止着されているため、その周囲の張力にアンバランスが生じたり、張材に引きつれが生じたりするおそれがある。
【０００６】
本発明は、従来の技術が有する上記のような問題点に鑑みてなされたもので、フレーム内の張材における一部の領域の張力の変化が、他の領域の張力に影響を及ぼすことがないようにしたフレームへの張材の張設構造、およびそれを備える椅子の背凭れを提供することを目的としている。
【課題を解決するための手段】
【０００７】
本発明によると、上記課題は、次のようにして解決される。
（１）枠状のフレームに張材を張設してなるフレームへの張材の張設構造において、前記フレームの対向部間に連結杆を架設し、かつ前記張材の一部を、前記連結杆に少なくとも一側方から掛け回すことにより、前記張材に、前記連結杆を境にして、張材の一方から他方への張力の伝達を阻止する張力伝達阻止部を設ける。
【０００８】
このような構成によると、連結杆より一側方の張材に外力が作用して、その領域の張材の張力が増大しても、その増大した張力は、張材における張力伝達阻止部である連結杆に掛け回された部分で吸収され、連結杆より他側方の張材に伝達されることはない。
したがって、連結杆より他側方の張材の張力を、常に一定に保つことができる。
【０００９】
（２）上記(１)項において、両側部フレームの上端同士が上部フレームによって連結され、両側部フレームの下端同士が互いに離間するようにしたフレームと、前記フレームにおける両側部フレーム間に架設した連結杆と、外周部に前記側部フレームおよび上部フレームが挿通する筒状部を有するとともに、中間部に、前記連結杆が挿通する筒状部を有し、前記フレームに張設された張材とを備え、前記連結杆が挿通する筒状部を、前記連結杆を境にして、張材の上方から下方および下方から上方への張力の伝達を阻止する張力伝達阻止部とする。
【００１０】
このような構成によると、連結杆より上方における張材の張力の変動が、連結杆より下方における張材の張力に影響を及ぼすことはなく、また、連結杆より下方における張材の張力の変動が、連結杆より上方における張材の張力に影響を及ぼすことはなく、それぞれの領域の張材の張力を、安定した状態で維持することができる。
【００１１】
（３）上記(１)項において、両側部フレームの上端同士が上部フレームによって連結され、両側部フレームの下端同士が互いに離間するようにしたフレームと、前記フレームにおける両側部フレーム間に架設した連結杆と、外周部に前記側部フレームおよび上部フレームが挿通する筒状部を有するとともに、前記上部フレームが挿通する筒状部を拡幅させて、その拡幅筒状部に、前記上部フレームの他に、前記連結杆と、両側部フレームにおける連結杆より上方の部分を挿通させて前記フレームに張設された張材とを備え、前記拡幅筒状部における前記連結杆の下側に掛け回された部分を、前記連結杆を境にして、張材の上方から下方への張力の伝達を阻止する張力伝達阻止部とする。
【００１２】
このような構成によると、連結杆より上方における張材の張力の変動が、連結杆より下方における張材の張力に影響を及ぼすことはなく、その下方の領域における張材の張力を、安定した状態で維持することができる。
【００１３】
（４）上記(３)項において、張材の拡幅筒状部における連結杆より上方の部分を架橋することにより、この架橋部を、前記連結杆を境にして、張材の下方から上方への張力の伝達を阻止する張力伝達阻止部とする。
【００１４】
このような構成によると、上記(３)項の効果に加えて、連結杆より下方における張材の張力の変動が、連結杆より上方における張材の張力に影響を及ぼすことはなく、その上方の領域における張材の張力を、安定した状態で維持することができる。
【００１５】
（５）上記(１)項において、両側部フレームの上端同士が上部フレームによって連結され、両側部フレームの下端同士が互いに離間するようにしたフレームと、前記フレームにおける両側部フレーム間に架設した連結杆と、前記連結杆と、前記両側部フレームにおける連結杆より下方の部分とを収容しうるようにした下端が開口する袋状部と、この袋状部の上端両側部に連通し、かつ前記両側部フレームにおける連結杆より上方の部分と前記上部フレームとが挿通する筒状部とを有し、前記フレームに張設された張材とを備え、前記袋状部の上端における連結杆の上側に掛け回された部分をもって、張材の下方から上方への張力の伝達を阻止する張力伝達阻止部とする。
【００１６】
このような構成によると、連結杆より下方における張材の張力の変動が、連結杆より上方における張材の張力に影響を及ぼすことはなく、その上方の領域における張材の張力を、安定した状態で維持することができる。
【００１７】
（６）上記(１)〜(５)項のいずれかにおいて、フレームにおける両側部フレームの下端同士を、下部フレームをもって連結し、張材の下端を、前記下部フレームの下方において閉塞する。
【００１８】
このような構成によると、フレームを完全なループ状として、その全外周を張材によって被包し、美麗な外観を呈することができる。
【００１９】
（７）上記(１)〜(６)項のいずれかのフレームへの張材の張設構造におけるフレームを、椅子の背フレームとし、連結杆より上方の部分をヘッドレストとし、かつ連結杆より下方の部分を背凭れ部分とする。
【００２０】
このような構成によると、背凭れ部分における張材の張力の変動が、ヘッドレストにおける張材の張力に伝達されることがなく、および／またはヘッドレストにおける張材の張力の変動が、背凭れ部分における張材の張力に伝達されることがないようにすることができ、椅子の着座者に、快適な着座感を与えることができる。
【発明の効果】
【００２１】
本発明によると、フレーム内の張材における一部の領域の張力の変化が、他の領域の張力に影響を及ぼすことがないようにしたフレームへの張材の張設構造、およびそれを用いた椅子の背凭れを提供することができる。
【図面の簡単な説明】
【００２２】
【図１】本発明のフレームへの張材の張設構造を適用した椅子の背凭れの第１の実施形態を斜め前上方より見た斜視図である。
【図２】図１のII−II線縦断側面図である。
【図３】図１のIII−III線拡大横断平面である。
【図４】第１の実施形態におけるフレームへの張材の取り付け初期の状態を斜め前上方より見た斜視図である。
【図５】同じく、第２段階後の状態を斜め前上方より見た斜視図である。
【図６】同じく、第３段階後の状態を斜め前上方より見た斜視図である。
【図７】本発明のフレームへの張材の張設構造を適用した椅子の背凭れの第２の実施形態を斜め前上方より見た斜視図である。
【図８】図７のVIII−VIII線縦断側面図である。
【図９】本発明のフレームへの張材の張設構造を適用した椅子の背凭れの第３の実施形態を斜め前上方より見た斜視図である。
【図１０】図９のX−X線縦断側面図である。
【発明を実施するための形態】
【００２３】
以下、本発明を適用した椅子の背凭れの第１の実施形態を、図１〜図６を参照して説明する。
図１〜図３に示すように、この椅子の背凭れは、枠状のフレーム１と、このフレーム１の対向部間に架設した連結杆２と、上記フレーム１および連結杆２に張設された張材３と、張材３の一部を、連結杆２に少なくとも一側方から掛け回すことにより、張材３に、連結杆２を境にして、張材３の一方から他方への張力の伝達を阻止する張力伝達阻止部４とを備えている。
【００２４】
フレーム１は、全体が金属管よりなり、上下方向を向き、かつ下端同士が互いに離間するようにした左右１対の側部フレーム５、５と、両側部フレーム５、５の上端同士を連結する左右方向を向く上部フレーム６とを備えている。
【００２５】
両側部フレーム５、５の上端部には、側面視において突部が前方を向く円弧状の屈曲部５ａ、５ａが設けられており、同じく下端部には、平面視において前方に向かって互いに拡開するように斜め前外側方に延出する拡開部５ｂ、５ｂが設けられている。
【００２６】
両側部フレーム５、５における拡開部５ｂ、５ｂの前端には、前方に向かって拡開する平面視ほぼコ字状の下部フレーム７の両端より前上方に向かって起立する起立部７ａ、７ａの上端が、Ｌ型接続具８、８を介して結合され、フレーム１は、全体として、下端部が拡幅する閉ループ状をなしている。
図６に示すように、各側部フレーム５における拡開部５ｂの前端部は、Ｌ型接続具８における筒状の水平部８ａに嵌合されて、止めねじ９、９をもって固着され、下部フレーム７における起立部７ａの上端部は、Ｌ型接続具８における筒状の垂下部８ｂに嵌合されて、止めねじ９、９をもって固着されている。
【００２７】
図１および図３に示すように、両側部フレーム５、５における屈曲部５ａ、５ａの下端部における互いに対向する内側面には、差込孔１０、１０が設けられ、これらに、左右方向を向く連結杆２の両端に設けた差込部１１、１１を嵌合することにより、両側部フレーム５、５における上下方向の中間部間に、連結杆２が架設されている。
なお、各側部フレーム５と連結杆２との結合手段は、上記のような差込孔１０と差込部１１との嵌合によるものだけでなく、どのような手段でもよい。例えば、連結杆２の両端に設けた下向きの鉤形片(図示略)を、各側部フレーム５の内側面に設けた受け筒(図示略)により受止するようにしたものでもよい。
【００２８】
張材３は、全体の外形がフレームとほぼ同形をなし、下端の開口部３ａにファスナ１２が設けられ、外周部に両側部フレーム５、５と上部フレーム６とを挿通しうる正面視ほぼ倒立Ｕ字状の筒状部１３を有するとともに、中間部に、両端が筒状部１３の中間部に連通し、かつ連結杆２を挿通しうる左右方向を向く筒状部１４を有している。
張材３における筒状部１３の左右の下端部には、拡幅部１３ａ、１３ａが形成され、この拡幅部１３ａ、１３ａには、フレーム１における左右の両側部フレーム５、５の下端部における拡開部５ｂ、５ｂと、下部フレーム７における起立部７ａ、７ａを含む両側部が収容されるようになっている。
【００２９】
張材３における倒立Ｕ字状の筒状部１３と、左右方向を向く筒状部１４とによって囲まれた部分には、１枚のメッシュ地のみよりなるシースルー部１５が形成されている。
【００３０】
また、張材３における筒状部１４から、開口部３ａのやや上方部にかけては、左右幅をシースルー部１５とほぼ同一とした縦長方形のシースルー部１６が形成されている。
【００３１】
張材３は、筒状部１３に、両側部フレーム５、５と上部フレーム６とが挿通し、筒状部１４に連結杆２が挿通し、筒状部１３の拡幅部１３ａに、側部フレーム５の拡開部５ｂと下部フレーム７における起立部７ａを含む側部が収容され、かつシースルー部１６の下端と下部フレーム７との間に、下部フレーム７における両側部を除く部分が収容されるようにして、開口部３ａに設けたファスナ１２を閉じることにより、フレーム１に張設されている。
【００３２】
このようにしてフレーム１に張材３を張設することにより、着座者の腰部を両側方から挾むようにした拡幅部１７ａが下端両側部に形成された背凭れ部１７の上端に、側面視ほぼ半円弧状のヘッドレスト部１８が一体的に形成された椅子の背凭れが形成される。
【００３３】
このようにしてフレーム１に張設された張材３は、図２に示すように、連結杆２が挿通されている筒状部１４によって、連結杆２を境にして、張材３の上方から下方および下方から上方への張力の伝達を阻止する張力伝達阻止部４が形成され、連結杆２より上方における張材３の張力の変動が、連結杆２より下方における張材３の張力に影響を及ぼすことはなく、また、連結杆２より下方における張材３の張力の変動が、連結杆２より上方における張材３の張力に影響を及ぼすことはなく、それぞれの領域の張材３の張力を、安定した状態で維持することができる。
【００３４】
例えば、着座者が背凭れ部１７に凭れたとき、その部分の張材３が後方に押し出され、背凭れ部１７の張材３の張力が増大しても、その張力の増大は、張材３における張力伝達阻止部４である筒状部１４における連結杆２の上側に掛け回された部分で吸収され、連結杆２より上方のヘッドレスト部１８の張材３に伝達されることはない。
したがって、ヘッドレスト部１８の張材３に、適度の張力を安定して付加することができ、着座者に快適な着座感を与えることができる。
また、逆に、ヘッドレスト部１８の張材３の張力が急激に変動しても、その張力の変動は、張力伝達阻止部４によって吸収され、背凭れ部１７の張材３に伝達されることはない。
【００３５】
次に、図４〜図６を参照して、フレーム１への張材３の張設方法について説明する。
図４に示すように、張材３の開口部３ａのファスナ１２を開いて、張材３を上下反転させた状態で、その一方の筒状部１３の拡幅部１３ａに、フレーム１における下部フレーム７、Ｌ型接続具８および連結杆２を取り外した状態の一方の側部フレーム５の下端部を挿入し、その状態で、張材３を持ち上げつつ、側部フレーム５を筒状部１３に順次挿通させ、次いで、図５に示すように、張材３を横向きにさせつつ、上部フレーム６も筒状部１３に挿通させ、さらに、張材３を正立させつつ、他方の側部フレーム５の上部まで筒状部１３を挿通させた後、図６に示すように、ほぼ正立した張材３の下部をたくし上げて、一方の側部フレーム５と筒状部１３との隙間から、連結杆２を挿入して、その先端を、図６に矢印で示すように、筒状部１４まで挿入し、その一端の差込部１１を一方の差込孔１０に嵌合した後、左右の側部フレーム５、５を互いに外側方に押し広げつつ、他端の差込部１１を他方の差込孔１０に嵌合する。
【００３６】
次いで、両側部フレーム５、５における拡開部５ｂ、５ｂの前端に、下部フレーム７の両端に予め取り付けておいたＬ型接続具８、８を取り付け、その後、たぐり上げていた張材３の下部を、下部フレーム７の下方まで引き下げた後、ファスナ１２を閉じることにより、フレーム１に張材３を、迅速かつ確実に張設することができる。
【００３７】
図７および図８は、本発明を適用した椅子の背凭れの第２の実施形態を示す。なお、第１の実施形態におけるのと同一または類似の部材には、同一の符号を付すに止め、それらについての詳細な説明は省略する(後述する第３の実施形態においても同様とする)。
この第２の実施形態においては、張材３は、外周部に側部フレーム５および上部フレーム６が挿通する筒状部１３を有するとともに、上部フレーム６が挿通する筒状部１３を拡幅させて、その拡幅筒状部１３ｂに、上部フレーム６の他に、連結杆２と、両側部フレーム５、５における連結杆２より上方の部分を挿通させて、フレーム１に張設されている。
【００３８】
第１の実施形態における筒状部１４およびシースルー部１５は省略してある。
その他の構成は、第１の実施形態におけるのと同一であり、フレーム１への張材３の張設方法も、第１の実施形態におけるのと同一である。
すなわち、連結杆２は、フレーム１から予め外しておき、張材３をフレーム１にある程度装着した後、フレーム１における一方の側部フレーム５の下端部と張材３における筒状部１４の一端部との隙間から、拡幅筒状部１３ｂに通して、両端を左右の側部フレーム５の中間部に取り付ける。
【００３９】
この第２の実施形態においては、連結杆２の下側に掛け回された張材３における拡幅筒状部１３ｂの下端部によって、張力伝達阻止部４が形成され、連結杆２を境にして、張材３の上方から下方への張力の伝達を阻止することができる。
【００４０】
この場合、連結杆２を境にして、張材３の下方から上方への張力の伝達を阻止することはできないが、図８に矢印Ａで示すように、張材３の拡幅筒状部１３ｂにおける連結杆２の直上部を、例えば前後から縫着、溶着、または接着等することにより架橋することによって、この架橋部をもって、連結杆２を境にして、張材３の下方から上方への張力の伝達を阻止する張力伝達阻止部４とすることができる。
【００４１】
図９および図１０は、本発明を適用した椅子の背凭れの第３の実施形態を示す。
この第３の実施形態においては、張材３は、連結杆２と、両側部フレーム５、５における連結杆２より下方の部分とを収容しうるようにした下端が開口する袋状部１９と、この袋状部１９の上端両側部に連通し、かつ両側部フレーム５、５における連結杆２より上方の部分と上部フレーム６とを挿通しうる筒状部２０とを有するものとし、袋状部１９の上端における連結杆の上側に掛け回された部分をもって、張材３の下方から上方への張力の伝達を阻止する張力伝達阻止部４としてある。
第１の実施形態における筒状部１４およびシースルー部１６は省略してある。
【００４２】
この第３の実施形態によると、連結杆２より下方における張材３の張力の変動が、連結杆２より上方における張材３の張力に影響を及ぼすことはなく、その上方の領域における張材３の張力を、安定した状態で維持することができる。
また、張材３における筒状部２０に、両側部フレーム５、５の上部と上部フレーム６とを挿通させた後、連結杆２を袋状部１９の下方から袋状部１９内に挿入して、その両端を左右の側部フレーム５、５に容易に取り付けることができる。
【００４３】
本発明は、上記実施形態のみに限定されるものではなく、特許請求の範囲を逸脱することなく、例えば、次のような変形した態様での実施が可能である。
(１)  第３の実施形態において、張材３の袋状部１９における連結杆２の直下の部分を、例えば前後から縫着、溶着、または接着等することにより架橋し、この架橋部をもって、連結杆２を境にして、張材３の上方から下方への張力の伝達を阻止する張力伝達阻止部４とする。
(２)  第１の実施形態において、両側部フレーム５、５の下端部と張材３の下端部とを前方に延長して椅子の座部を形成し、この座部と背凭れ部１７との境界部に、連結杆２および筒状部１４と同様のものを形成して、この筒状部を、座部と背凭れ部１７との間の張力伝達阻止部とする。
(３)  第１の実施形態において、ヘッドレスト部１８を省略し、背凭れ部１７の上端に上部フレーム６が位置し、かつ上部フレーム６より下方の両側部フレーム５、５間に、張力伝達阻止部４である連結杆２を設ける。
【産業上の利用可能性】
【００４４】
本発明は、椅子の背凭れだけでなく、椅子の座、ベッド、または衝立等、フレームに張材が張設されるあらゆるものに適用することができる。
【符号の説明】
【００４５】
１  フレーム
２  連結杆
３  張材
３ａ開口部
４  張力伝達阻止部
５  側部フレーム
５ａ屈曲部
５ｂ拡開部
６  上部フレーム
７  下部フレーム
７ａ起立部
８  Ｌ型接続具
８ａ水平部
８ｂ垂下部
９  止めねじ
１０  差込孔
１１  差込部
１２  ファスナ
１３、１４  筒状部
１３ａ拡幅部
１３ｂ拡幅筒状部
１５、１６  シースルー部
１７  背凭れ部
１７ａ拡幅部
１８  ヘッドレスト部
１９  袋状部
２０  筒状部
【図１】
2014079343.tif 000003
【図２】
2014079343.tif 000004
【図３】
2014079343.tif 000005
【図４】
2014079343.tif 000006
【図５】
2014079343.tif 000007
【図６】
2014079343.tif 000008
【図７】
2014079343.tif 000009
【図８】
2014079343.tif 000010
【図９】
2014079343.tif 000011
【図１０】
2014079343.tif 000012